(57)【要約】【課題】表示される画像における輪郭残像の発生を抑制する。【解決手段】電気光学装置の制御方法は、表示部（３）に表示されている画像を書き換える画像書き換えの際、第１の所定期間（Ｔ１）において、表示すべき階調が第１の階調から該第１の階調とは異なる第２の階調へと変化する第１の画素（２０）の画素電極（２１）に、第２の階調に対応する電位（ＶＬ）を供給すると共に、表示すべき階調が第２の階調から第１の階調へと変化する第２の画素の画素電極及び表示すべき階調が変化しない第３の画素の画素電極の各々に、対向電極の電位と同一の電位（ＧＮＤ）を供給する第１制御工程と、第１の所定期間に続く第２の所定期間において、第１の画素の画素電極、第２の画素の画素電極及び第３の画素の画素電極の各々をハイインピーダンス状態とする第２制御工程とを含む。【選択図】図５
2012237958.tif 000002
【特許請求の範囲】
【請求項１】
互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を複数回に分けて供給する駆動部とを備えた電気光学装置を制御する制御方法であって、
前記表示部に表示されている画像を書き換える画像書き換えの際、第１の所定期間において、表示すべき階調が第１の階調から該第１の階調とは異なる第２の階調へと変化する第１の画素の前記画素電極に、前記第２の階調に対応する電位を供給すると共に、表示すべき階調が前記第２の階調から前記第１の階調へと変化する第２の画素の前記画素電極及び表示すべき階調が変化しない第３の画素の前記画素電極の各々に、前記対向電極の電位と同一の電位を供給する第１制御工程と、
前記第１の所定期間に続く第２の所定期間において、前記第１の画素の前記画素電極、前記第２の画素の前記画素電極及び前記第３の画素の前記画素電極の各々をハイインピーダンス状態とする第２制御工程と
を含むことを特徴とする電気光学装置の制御方法。
【請求項２】
前記第１の所定期間及び前記第２の所定期間とは異なる第３の所定期間において、前記第１の画素の前記画素電極に前記第２の階調に対応する電位を供給し、前記第２の画素の前記画素電極に前記第１の階調に対応する電位を供給し、前記第３の画素の前記画素電極に前記対向電極の電位と同一の電位を供給する第３制御工程を含むことを特徴とする請求項１に記載の電気光学装置の制御方法。
【請求項３】
前記第１の所定期間及び前記第２の所定期間とは異なる第４の所定期間において、前記第２の画素の前記画素電極に前記第１の階調に対応する電位を供給し、前記第１の画素の前記画素電極及び前記第３の画素の前記画素電極の各々に前記対向電極の電位と同一の電位を供給する第４制御工程を含むことを特徴とする請求項１又は２に記載の電気光学装置の制御方法。
【請求項４】
前記第１の所定期間及び前記第４の所定期間は、互いに同一の長さを有する期間であることを特徴とする請求項３に記載の電気光学装置の制御方法。
【請求項５】
互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を複数回に分けて供給する駆動部とを備えた電気光学装置を制御する制御装置であって、
前記表示部に表示されている画像を書き換える画像書き換えの際、第１の所定期間において、表示すべき階調が第１の階調から該第１の階調とは異なる第２の階調へと変化する第１の画素の前記画素電極に、前記第２の階調に対応する電位を供給すると共に、表示すべき階調が前記第２の階調から前記第１の階調へと変化する第２の画素の前記画素電極及び表示すべき階調が変化しない第３の画素の前記画素電極の各々に、前記対向電極の電位と同一の電位を供給する第１制御手段と、
前記第１の所定期間に続く第２の所定期間において、前記第１の画素の前記画素電極、前記第２の画素の前記画素電極及び前記第３の画素の前記画素電極の各々をハイインピーダンス状態とする第２制御手段と
を備えることを特徴とする電気光学装置の制御装置。
【請求項６】
請求項５に記載の電気光学装置の制御装置を備えることを特徴とする電気光学装置。
【請求項７】
請求項６に記載の電気光学装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む電気泳動素子を挟んで対向する画素電極及び対向電極間に電圧を印加して、例えば黒色粒子及び白色粒子等の電気泳動粒子を移動させることで表示部に画像を表示する電気泳動表示装置がある。電気泳動素子は、例えば、複数の電気泳動粒子を夫々含む複数のマイクロカプセルから構成され、画素電極及び対向電極間に、樹脂等からなる接着剤によって固定される。なお、対向電極は、共通電極と呼ばれることもある。
【０００３】
このような電気泳動表示装置では、表示部に表示されている画像を書き換える際、画像が部分的にしか変化しない場合には、変化する部分に対応する画素のみの画素電極及び対向電極間に電圧を印加することにより、画像を部分的に書き換える駆動方法（以下「部分書き換え駆動」と適宜称する）が採用されることがある。このような部分書き換え駆動が採用された電気泳動表示装置では、例えば、表示部に表示される画像のうち黒色で表示される黒画像部分と白色で表示される白画像部分との境界部が滲んだように表示されてしまうおそれがある、言い換えれば、黒画像部分の輪郭部が白画像部分側に広がったように（或いは膨らんだように）表示されてしまうおそれがあることが知られている。
【０００４】
このような境界部の滲みが発生すると、黒画像部分に対応する画素のみに電圧を印加することにより、表示部に表示される画像を全白画像に書き換えた場合、境界部の滲みが残像として残ってしまう、言い換えれば、表示されていた黒画像部分の輪郭部に沿った残像が発生してしまうおそれがある。なお、以下では、このような輪郭部に沿った残像が発生する現象、或いは、このような輪郭部に沿った残像そのものを「輪郭残像」と適宜称する。例えば特許文献１には、表示部に表示された画像を部分書き換え駆動により書き換える際、輪郭残像として残ってしまう部分（例えば、黒画像部分の輪郭部に対応する画素と隣り合って配置され白色を表示する画素）も書き換えるように電圧を印加することにより、輪郭残像を消去する技術が開示されている。
【先行技術文献】
【特許文献】
【０００５】
【特許文献１】特開２０１０−１１３２８２号公報
【発明の概要】
【発明が解決しようとする課題】
【０００６】
しかしながら、前述した例えば特許文献１に開示された技術によれば、輪郭残像を消去するための処理として、例えば書き換え前後の画像を比較して差分画像を求め、差分画像における黒画像部分の輪郭部を抽出し太らせるような比較的複雑な処理が求められてしまう。よって、仮に輪郭残像の発生を抑制できたとしても、画像書き換えの際に求められる処理が複雑化してしまうという技術的問題点がある。
【０００７】
本発明は、例えば前述した問題点に鑑みなされたものであり、表示部に表示される画像における輪郭残像の発生を好適に抑制でき、高品質な画像を表示可能な電気光学装置の制御方法、電気光学装置の制御装置、電気光学装置、及び電子機器を提供することを課題とする。
【課題を解決するための手段】
【０００８】
本発明に係る電気光学装置の制御方法は上記課題を解決するために、互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を複数回に分けて供給する駆動部とを備えた電気光学装置を制御する制御方法であって、前記表示部に表示されている画像を書き換える画像書き換えの際、第１の所定期間において、表示すべき階調が第１の階調から該第１の階調とは異なる第２の階調へと変化する第１の画素の前記画素電極に、前記第２の階調に対応する電位を供給すると共に、表示すべき階調が前記第２の階調から前記第１の階調へと変化する第２の画素の前記画素電極及び表示すべき階調が変化しない第３の画素の前記画素電極の各々に、前記対向電極の電位と同一の電位を供給する第１制御工程と、前記第１の所定期間に続く第２の所定期間において、前記第１の画素の前記画素電極、前記第２の画素の前記画素電極及び前記第３の画素の前記画素電極の各々をハイインピーダンス状態とする第２制御工程とを含む。
【０００９】
本発明に係る電気光学装置の制御方法によって制御される電気光学装置は、例えばアクティブマトリクス駆動方式の電気泳動表示装置などであり、複数の走査線と複数のデータ線との交差に対応して例えばマトリクス状に配列された複数の画素を有する表示部と、各画素の画素電極に画像データに応じたデータ電位を供給する駆動部とを備える。
【００１０】
電気光学装置では、駆動部が複数の画素の各々における画素電極に画像データに応じたデータ電位を複数回に分けて供給されることにより、表示部に画像データに応じた画像が表示される。駆動部による電位供給は、例えば所定のフレーム期間単位で行われる。具体的には、所定のフレーム期間中に、複数の走査線が所定の順番で１回ずつ選択されるとともに、該選択した走査線に対応する画素における画素電極にデータ電位が複数のデータ線を介して供給される。なお、ここでの「フレーム期間」とは、複数の走査線を所定の順番で１回ずつ選択する期間として予め定められた期間である。つまり、連続する複数のフレーム期間の各々において、複数の画素の各々における画素電極にデータ電位を供給する電位供給が駆動部によって１回ずつ行われることにより表示部に画像データに応じた画像が表示される。
【００１１】
本発明に係る電気光学装置の制御方法によれば、表示部に表示されている画像（例えば、白色及び黒色の２階調からなる２階調画像）を書き換える画像書き換えの際、前述した複数回の電位供給として、第１制御工程及び第２制御工程が行われる。
【００１２】
第１制御工程では、第１の所定期間において、表示すべき階調が第１の階調から第２の階調へ変化する（例えば、黒から白へ変化する）第１の画素の画素電極に、第２の階調に対応する電位（例えば、対向電極の電位よりも高い高電位、或いは対向電極の電位よりも低い低電位）が供給される。これにより、第１の画素の階調は、多少なりとも第１の階調から第２の階調に近づくように変化する。なお、ここでの「第１の所定期間」は、駆動部によって行われる複数回の電位供給の少なくとも１回分に相当する期間であり、例えば１フレーム期間として設定される。
【００１３】
また第１制御工程では、上述した第１画素への電位供給に加え、表示すべき階調が第２の階調から第１の階調へと変化する（例えば、白から黒へ変化する）第２の画素の画素電極、及び表示すべき階調が変化しない（例えば、黒又は白のまま維持される）第３の画素の画素電極の各々に、対向電極の電位と同一の電位（例えば０ボルト）が供給される。このため、第２の画素及び第３の画素は、上述した第１画素とは異なり、共に階調が維持されたままとなる。なお、ここでの「対向電極の電位と同一の電位」とは、厳密に等しい電位のみを指す趣旨ではなく、僅かに異なる電位であることを含む。例えば、対向電極電位が、フィードスルーによる画素電極電位の変動を考慮して、第２の画素の画素電極に供給される電位とは異なる値とされている場合においても、第２の画素の画素電極に供給される電位と対向電極の電位とが同一であるとみなす。
【００１４】
第２制御工程では、第１の所定期間に続く第２の所定期間において、第１の画素の画素電極、第２の画素の画素電極及び第３の画素の画素電極の各々がハイインピーダンス状態（即ち、電位が供給されない状態）とされる。なお、ここでの「第２の所定期間」とは、第１所定期間の直後の期間であり、後述する輪郭残像を低減するのに適した長さを有する期間として予め設定される。「第２の所定期間」は、例えば１フレーム期間に相当する長さの期間として設定される。
【００１５】
第２制御工程では、第１画素、第２画素及び第３画素の各々がハイインピーダンス状態とされるため、各画素の駆動は行われない。但し、第１の画素については、直前の第１の所定期間において、第１制御工程による第２の階調に対応する電位の供給が行われている。このため第１の画素では、例えば画素毎に設けられた保持容量に保持された第２の階調に対応する電位がリークすることにより、隣り合う画素への部分的な滲みが生じる。本発明では、このような滲みを意図的に発生させることで、書き換え後の輪郭残像を低減する。以下では、輪郭残像の発生原理について具体例を挙げて説明する。
【００１６】
例えば、互いに隣り合う２つの画素が共に白色を表示している状態から、一方の画素のみが黒色へと書き換えられ、その後再び共に白色を表示する状態へ書き換えられる場合を考える。なお、画像の書き換えは、階調が変化する画素にのみ電圧が印加される駆動（所謂、部分書き換え駆動）によって行なわれるものとする。この場合、一方の画素が黒色へと書き換えられる際に、隣り合う白色を保持すべき画素には上述したリーク等に起因する滲みが発生する（即ち、白色を保持すべき画素の境界付近が部分的に灰色に変化してしまう）。この滲みは、一方の画素が黒色を表示している間は比較的視認され難い。しかし、黒色を表示していた一方の画素が再び白色へと書き換えられた後においても、白色を保持し続ける画素に発生した滲みはそのまま残り、結果として黒色から白色へと書き換えられた画素を囲むような輪郭残像が発生してしまう。
【００１７】
輪郭残像の発生は、階調によって滲みの発生度合いが異なることに起因している。即ち、輪郭残像は、第１の階調から第２の階調への書き換えの際に生じる滲みと、第２の階調から第１の階調への書き換えの際に生じる滲みとの度合いが互いに異なることで、発生する滲みが互いに相殺されないことで発生する。なお、本発明では、第１の階調から第２の階調への書き換えの際に生じる滲みの方が、第２の階調から第１の階調への書き換えの際に生じる滲みより度合いが小さい場合を前提としている。
【００１８】
本発明では、上述したように、第２制御工程によって第１の画素の画素電極、第２の画素の画素電極及び第３の画素の画素電極の各々がハイインピーダンス状態とされ、第１の画素に隣り合う画素への滲みが意図的に発生させられる。即ち、第１の階調から第２の階調への書き換えの際に生じる滲みが、意図的に高い程度で発生させられる。これにより、第１の階調から第２の階調への書き換えの際に生じる滲みの程度を、第２の階調から第１の階調への書き換えの際に生じる滲みの程度に近づけることができる。よって、第１の画素の周囲に既に発生していた滲みが相殺され、書き換え後に発生する輪郭残像を低減することができる。
【００１９】
以上説明したように、本発明に係る電気光学装置の制御方法によれば、画像の書き換えによって生じる輪郭残像を低減できる。この結果、高品位な画像を表示することが可能となる。
【００２０】
本発明に係る電気光学装置の制御方法の一態様では、前記第１の所定期間及び前記第２の所定期間とは異なる第３の所定期間において、前記第１の画素の前記画素電極に前記第２の階調に対応する電位を供給し、前記第２の画素の前記画素電極に前記第１の階調に対応する電位を供給し、前記第３の画素の前記画素電極に前記対向電極の電位と同一の電位を供給する第３制御工程を含む。
【００２１】
この態様によれば、上述した第１制御工程及び第２制御工程に加えて、第３制御工程が第３の所定期間に行なわれる。なお、「第３の所定期間」とは、第１の所定期間及び第２の所定期間とは異なる期間であり、典型的には第１の所定期間及び第２の所定期間の後の期間として設定される。
【００２２】
第３制御工程では、第１の画素の画素電極に第２の階調に対応する電位が供給され、第２の画素の画素電極に第１の階調に対応する電位が供給され、第３の画素の画素電極に対向電極の電位と同一の電位が供給される。よって、第２の階調が表示されるべき第１の画素は第２の階調へと書き換えられ、第１の階調が表示されるべき第２の画素は第１の階調へと書き換えられ、階調を維持すべき第３の画素の階調は変化しないままとなる。従って、好適に画像を書き換えることが可能となる。
【００２３】
本発明に係る電気光学装置の制御方法の他の態様では、前記第１の所定期間及び前記第２の所定期間とは異なる第４の所定期間において、前記第２の画素の前記画素電極に前記第１の階調に対応する電位を供給し、前記第１の画素の前記画素電極及び前記第３の画素の前記画素電極の各々に前記対向電極の電位と同一の電位を供給する第４制御工程を含む。
【００２４】
この態様によれば、上述した第１制御工程及び第２制御工程に加えて、第４制御工程が第４の所定期間に行なわれる。なお、「第４の所定期間」とは、第１の所定期間及び第２の所定期間とは異なる期間であり、典型的には第１の所定期間及び第２の所定期間の直後の期間として設定される。
【００２５】
第４制御工程では、第２の画素の画素電極に第１の階調に対応する電位が供給され、第１の画素の画素電極及び第３の画素の画素電極に対向電極の電位と同一の電位が供給される。よって、第１の階調が表示されるべき第２の画素は第１の階調へ近づくように駆動されるものの、第２の階調が表示されるべき第１の画素は第２の階調へ近づくように駆動されない。
【００２６】
上述した第２制御工程による駆動によれば、各画素におけるＤＣバランス比（即ち、画素電極及び対向電極間に一の階調に応じた電圧が印加される時間と、画素電極及び対向電極間に他の階調に応じた電圧が印加される時間との比）が崩れてしまうのを抑制或いは防止できる。具体的には、第１制御工程において、第１の画素には第２の階調を表示するための電圧が印加され、第２の画素には電圧が印加されなかったことによるＤＣバランス比の崩れを、第２制御工程によって解消できる。この結果、表示の焼き付きや表示部の劣化を低減することができる。
【００２７】
上述した第４制御工程を含む態様では、前記第１の所定期間及び前記第４の所定期間は、互いに同一の長さを有する期間であるようにしてもよい。
【００２８】
この場合、第１制御工程によって第１の画素にのみ電圧が印加される期間と、第４制御工程によって第２の画素にのみ電圧が印加される期間とが互いに等しくなるため、ＤＣバランス比の崩れを効果的に抑制或いは防止できる。
【００２９】
なお、ここでの「同一の長さ」とは、厳密に等しい長さのみを指す趣旨ではなく、第１の所定期間及び第２の所定期間の長さが多少なりとも互いに近づけられれば、上述した効果は相応に得られる。
【００３０】
本発明に係る電気光学装置の制御装置は上記課題を解決するために、互いに交差する複数の走査線及び複数のデータ線の交差に対応して設けられ、互いに対向する画素電極及び対向電極間に電気光学物質を夫々有する複数の画素を有する表示部と、該表示部に画像データに応じた画像を表示させるために、前記複数の画素の各々の前記画素電極に前記画像データに応じたデータ電位を複数回に分けて供給する駆動部とを備えた電気光学装置を制御する制御装置であって、前記表示部に表示されている画像を書き換える画像書き換えの際、第１の所定期間において、表示すべき階調が第１の階調から該第１の階調とは異なる第２の階調へと変化する第１の画素の前記画素電極に、前記第２の階調に対応する電位を供給すると共に、表示すべき階調が前記第２の階調から前記第１の階調へと変化する第２の画素の前記画素電極及び表示すべき階調が変化しない第３の画素の前記画素電極の各々に、前記対向電極の電位と同一の電位を供給する第１制御手段と、前記第１の所定期間に続く第２の所定期間において、前記第１の画素の前記画素電極、前記第２の画素の前記画素電極及び前記第３の画素の前記画素電極の各々をハイインピーダンス状態とする第２制御手段とを備える。
【００３１】
本発明に係る電気光学装置の制御装置によれば、前述した本発明に係る電気光学装置の制御方法と同様に、電気光学装置において、画像の書き換えによって生じる輪郭残像を低減できる。この結果、高品位な画像を表示することが可能となる。
【００３２】
なお、本発明に係る電気光学装置の制御装置においても、前述した本発明に係る電気光学装置の制御方法における各種態様と同様の各種態様を採ることが可能である。
【００３３】
本発明に係る電気光学装置は上記課題を解決するために、前述した本発明に係る電気光学装置の制御装置（但し、その各種態様も含む）を備える。
【００３４】
本発明に係る電気光学装置によれば、前述した本発明に係る電気光学装置の制御装置を備えるので、画像の書き換えによって生じる輪郭残像を低減できる。この結果、高品位な画像を表示することが可能となる。
【００３５】
本発明に係る電子機器は上記課題を解決するために、前述した本発明に係る電気光学装置（但し、その各種態様も含む）を備える。
【００３６】
本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００３７】
本発明の作用及び他の利得は次に説明する発明を実施するための形態から明らかにされる。
【図面の簡単な説明】
【００３８】
【図１】実施形態に係る電気泳動表示装置の全体構成を示すブロック図である。
【図２】実施形態に係る画素の電気的な構成を示す等価回路図である。
【図３】実施形態に係る電気泳動表示装置の表示部の部分断面図である。
【図４】書き換え前の画像と書き換え後の画像の一例を示す平面図である。
【図５】実施形態に係る電気泳動表示装置における画像書き換えの際の複数の画素電極へのデータ電位の供給方法を概念的に示す概念図である。
【図６】実施形態に係る電気泳動表示装置における画像書き換えの際に、各画素の画素電極に供給される電位をフレーム期間毎に示すテーブル図である。
【図７】比較例に係る電気泳動表示装置における画像書き換えの際の複数の画素電極へのデータ電位の供給方法を概念的に示す概念図である。
【図８】比較例に係る電気泳動表示装置における画像書き換えの際に、各画素の画素電極に供給される電位をフレーム期間毎に示すテーブル図である。
【図９】比較例に係る書き換え前の画像の一例を示す平面図である。
【図１０】表示部に表示される画像における境界部の滲みの発生を説明するための模式図である。
【図１１】比較例に係る書き換え後の画像の一例を示す平面図である。
【図１２】電気光学装置を適用した電子機器の一例たる電子ペーパーの構成を示す斜視図である。
【図１３】電気光学装置を適用した電子機器の一例たる電子ノートの構成を示す斜視図である。
【発明を実施するための形態】
【００３９】
以下では、本発明の実施形態について図を参照しつつ説明する。
【００４０】
＜電気光学装置＞
先ず、本実施形態に係る電気光学装置について、図１から図１１を参照して説明する。なお、以下の実施形態では、本発明に係る電気光学装置の一例として電気泳動表示装置を挙げて説明する。
【００４１】
＜装置構成＞
本実施形態に係る電気泳動表示装置の全体構成について、図１及び図２を参照して説明する。
【００４２】
図１は、本実施形態に係る電気泳動表示装置の全体構成を示すブロック図である。
【００４３】
図１において、本実施形態に係る電気泳動表示装置１は、アクティブマトリクス駆動方式の電気泳動表示装置であり、表示部３と、コントローラー１０と、走査線駆動回路６０と、データ線駆動回路７０と、共通電位供給回路２２０とを備えている。なお、コントローラー１０が本発明に係る「電気光学装置の制御装置」の一例である。また、走査線駆動回路６０及びデータ線駆動回路７０が本発明に係る「駆動部」の一例を構成する。
【００４４】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００４５】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００４６】
走査線駆動回路６０は、コントローラー１０による制御下で、所定のフレーム期間中に、走査線Ｙ１、Ｙ２、…、Ｙｍの各々に走査信号をパルス的に順次供給する。
【００４７】
データ線駆動回路７０は、コントローラー１０による制御下で、データ線Ｘ１、Ｘ２、…、Ｘｎにデータ電位を供給する。データ電位は、基準電位ＧＮＤ（例えば０ボルト）、高電位ＶＨ（例えば＋１５ボルト）又は低電位ＶＬ（例えば−１５ボルト）のいずれかの電位をとる。なお、後述するように、本実施形態では、前述した部分書き換え駆動が採用されている。
【００４８】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００４９】
なお、コントローラー１０、走査線駆動回路６０、データ線駆動回路７０及び共通電位供給回路２２０には、各種の信号が入出力されるが、本実施形態と特に関係のないものについては説明を省略する。
【００５０】
図２は、画素２０の電気的な構成を示す等価回路図である。
【００５１】
図２において、画素２０は、画素スイッチング用トランジスター２４と、画素電極２１と、対向電極２２と、電気泳動素子２３と、保持容量２７とを備えている。
【００５２】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００５３】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００５４】
対向電極２２は、共通電位Ｖｃｏｍが供給される共通電位線９３に電気的に接続されている。
【００５５】
電気泳動素子２３は、電気泳動粒子をそれぞれ含んでなる複数のマイクロカプセルから構成されている。
【００５６】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００５７】
次に、本実施形態に係る電気泳動表示装置の表示部の具体的な構成について、図３を参照して説明する。
【００５８】
図３は、電気泳動表示装置１の表示部３の部分断面図である。
【００５９】
図３において、表示部３は、素子基板２８と対向基板２９との間に電気泳動素子２３が挟持される構成となっている。なお、本実施形態では、対向基板２９側に画像を表示することを前提として説明する。
【００６０】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００６１】
対向基板２９は、例えばガラスやプラスチック等からなる透明な基板である。対向基板２９における素子基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００６２】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００６３】
マイクロカプセル８０は、画素電極２１及び対向電極２２間に挟持され、１つの画素２０内に（言い換えれば、１つの画素電極２１に対して）１つ又は複数配置されている。
【００６４】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００６５】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００６６】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００６７】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００６８】
黒色粒子８３は、例えば、アニリンブラック、カーボンブラック等の黒色顔料からなる粒子（高分子或いはコロイド）であり、例えば正に帯電されている。
【００６９】
このため、白色粒子８２及び黒色粒子８３は、画素電極２１と対向電極２２との間の電位差によって発生する電場によって、分散媒８１中を移動することができる。
【００７０】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００７１】
図３において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００７２】
なお、白色粒子８２、黒色粒子８３に用いる顔料を、例えば赤色、緑色、青色等の顔料に代えることによって、赤色、緑色、青色等を表示することができる。
【００７３】
＜制御方法＞
次に、本実施形態に係る電気泳動表示装置の制御方法について、図４から図１１を参照して説明する。以下では、図４に示すように、表示部３に表示される画像が、画像Ｐ１から画像Ｐ２に書き換えられる場合を例にとりながら、前述した電気泳動表示装置１の制御方法について説明する。なお、画像Ｐ１及びＰ２の各々は、黒色及び白色の２階調からなる２階調画像である。図４は、書き換え前の画像Ｐ１と書き換え後の画像Ｐ２の一例を示す平面図である。
【００７４】
図５は、電気泳動表示装置１における画像書き換えの際の複数の画素電極２１へのデータ電位の供給方法を概念的に示す概念図である。なお、図５には、その上段側に、複数のフレーム期間Ｔ１、Ｔ２、Ｔ３、Ｔ４及びＴ５の各々について複数の画素電極２１に供給されるデータ電位が概念的に示されており、その下段側に、各フレーム期間Ｔ１、Ｔ２、Ｔ３、Ｔ４及びＴ５において複数の画素電極２１にデータ電位が供給されることにより表示部３に表示されることとなる画像が概念的に示されている。
【００７５】
図５に示すように、本実施形態では、表示部３に表示されている画像を画像Ｐ１から画像Ｐ２へ書き換える際、５つのフレーム期間Ｔ１、Ｔ２、Ｔ３、Ｔ４及びＴ５の各々において、複数の画素２０の各々の画素電極２１に、画像Ｐ１及びＰ２の画像データに応じたデータ電位を供給することにより、表示部３に画像Ｐ２を表示させる。ここで、フレーム期間Ｔ１、Ｔ２、Ｔ３、Ｔ４及びＴ５は、ｍ本の走査線を順次に１回ずつ選択する期間として予め定められた期間である。つまり、フレーム期間Ｔ１、Ｔ２、Ｔ３、Ｔ４及びＴ５の各々において、複数の画素２０の各々の画素電極２１へのデータ電位の供給（以下、「データ電位供給」と適宜称する）が、コントローラー１０による制御下で走査線駆動回路６０及びデータ線駆動回路７０（以下、走査線駆動回路６０及びデータ線駆動回路７０を「駆動部」と適宜総称する）によって１回ずつ行われることにより表示部３に表示されていた画像が画像Ｐ１から画像Ｐ２に書き換えられる。
【００７６】
次に、フレーム期間Ｔ１、Ｔ２、Ｔ３、Ｔ４及びＴ５の各々におけるデータ電位供給について、図５に加えて図６を参照して説明する。
【００７７】
図６は、電気泳動表示装置１における画像書き換えの際に、各画素の画素電極に供給される電位をフレーム期間毎に示すテーブル図である。なお、図６では、図５で示さない第６フレーム期間Ｔ６が、ディスチャージ期間（即ち、全ての画素２０の画素電極２１に基準電位ＧＮＤ（例えば０ボルト）を供給する期間）として図示されている。
【００７８】
図５及び図６において、本実施形態に係る電気泳動表示装置１では、表示部３に表示されている画像を画像Ｐ１から画像Ｐ２へ書き換える際、まず、第１フレーム期間Ｔ１において、以下のようなデータ電位供給が行われる。なお、データ電位供給は、コントローラー１０による制御下で、駆動部（即ち、走査線駆動回路６０及びデータ線駆動回路７０）によって行われる。
【００７９】
即ち、第１フレーム期間Ｔ１では、表示すべき階調が黒色から白色へ変化することとなる領域Ｒｂｗに対応する画素２０の画素電極２１にデータ電位として低電位ＶＬ（例えば−１５ボルト）が供給され、表示すべき階調が白色から黒色へ変化することとなる領域Ｒｗｂ、表示すべき階調が白色のままで変化しない領域Ｒｗｗ及び黒色のままで変化しない領域Ｒｂｂの各々に対応する画素２０の画素電極２１にデータ電位として基準電位ＧＮＤ（例えば０ボルト）が供給される。
【００８０】
なお、領域Ｒｂｗに対応する画素２０は本発明に係る「第１の画素」の一例であり、領域Ｒｗｂに対応する画素２０は本発明に係る「第２の画素」の一例であり、領域Ｒｗｗ及び領域Ｒｂｂの各々に対応する画素は本発明に係る「第３の画素」の一例である。
【００８１】
第１フレーム期間Ｔ１においてこのようなデータ電位供給が行われることにより、表示部３には例えば画像Ｍ１（図５参照）が表示される。即ち、第１フレーム期間Ｔ１においてこのようなデータ電供給が行われた後には、黒色を表示していた画素２０のうち領域Ｒｂｗに対応する画素２０では例えば濃い灰色など黒色から白色側にやや近づいた色が表示され、白色を表示していた画素２０のうち領域Ｒｗｂ及び領域Ｒｗｗに対応する画素２０では引き続き白色が表示され、黒色を表示していた画素２０のうち領域Ｒｂｂに対応する画素２０では引き続き黒色が表示される。ここで、第１フレーム期間Ｔ１は「第１の所定期間」の一例であり、第１フレーム期間Ｔ１における上記工程は「第１制御工程」の一例である。
【００８２】
次に、第１フレーム期間Ｔ１の後の第２フレーム期間Ｔ２では、全ての領域（即ち、領域Ｒｗｂ、領域Ｒｂｗ、領域Ｒｗｗ及び領域Ｒｂｂ）に対応する画素２０の画素電極２１がハイインピーダンス状態とされる。即ち、全ての画素２０の画素電極２１に対して電位が供給されない状態となる。
【００８３】
第２フレーム期間Ｔ２では、各画素２０がハイインピーダンス状態とされるため、各画素２０の駆動は行われない。但し、領域Ｒｂｗに対応する画素２０については、直前の第１フレーム期間Ｔ１において低電位ＶＬが供給されている。このため領域Ｒｂｗに対応する画素２０では、保持容量２７に保持された電位がリークすることにより、隣り合う画素への部分的な滲みが生じる。本実施形態では、このような滲みを意図的に発生させることで、書き換え後の輪郭残像を低減する。以下では、輪郭残像の発生について、図７から図１１を参照して詳細に説明する。
【００８４】
図７は、比較例に係る電気泳動表示装置における画像書き換えの際の複数の画素電極２１へのデータ電位の供給方法を概念的に示す概念図である。また図８は、比較例に係る電気泳動表示装置における画像書き換えの際に、各画素の画素電極に供給される電位をフレーム期間毎に示すテーブル図である。
【００８５】
図７及び図８において、比較例に係る電気泳動表示装置では、表示部３に表示されている画像を画像Ｐ１から画像Ｐ２へ書き換える際、フレーム期間Ｔ１、Ｔ２、Ｔ３及びＴ４の各々において、以下のようなデータ電位供給が行われる。
【００８６】
即ち、表示すべき階調が白色から黒色へ変化することとなる領域Ｒｗｂに対応する画素２０の画素電極にデータ電位として高電位ＶＨ（例えば＋１５ボルト）が供給され、表示すべき階調が黒色から白色へ変化することとなる領域Ｒｂｗに対応する画素２０の画素電極２１にデータ電位として低電位ＶＬ（例えば−１５ボルト）が供給され、表示すべき階調が白色のままで変化しない領域Ｒｗｗ及び黒色のままで変化しない領域Ｒｂｂの各々に対応する画素２０の画素電極２１にデータ電位として基準電位ＧＮＤ（例えば０ボルト）が供給される。比較例に係る電気泳動表示装置では、上述した本実施形態に係る電気泳動表示装置１とは異なり、フレーム期間Ｔ１、Ｔ２、Ｔ３及びＴ４の全てにおいて同様に電位が供給される。これにより、画像Ｐ１は段階的に画像Ｐ２へと書き換えられる。
【００８７】
ここで特に、図７では詳細に図示していないが、画像Ｐ１において黒表示されている領域の周辺には、図９に示すように、画像書き換え時のリークに起因する滲みが既に生じている。即ち、書き換え前の画像Ｐ１において黒表示されている領域Ｂｐ１の周囲を囲むように、灰色の滲みＧｐ１が発生している。なお図９は、比較例に係る書き換え前の画像の一例を示す平面図である。
【００８８】
以下では、上述した滲みの発生原理について、図１０を参照して説明する。
【００８９】
図１０は、表示部に表示される画像における境界部の滲みの発生を説明するための模式図である。
【００９０】
図１０に示すように、領域Ｒｗｗ（即ち、表示すべき階調が白色のままで変化しない領域）に対応する画素２０ｗｗの画素電極２１ｗｗにデータ電位として基準電位ＧＮＤが供給されるととともに、この画素２０ｗｗに隣り合う領域ｗｂ（即ち、表示すべき階調が白色から黒色へ変化する領域）に対応する画素２０ｗｂの画素電極２１ｗｂにデータ電位として高電位ＶＨが供給された場合、画素スイッチング用トランジスター２４（図２参照）がオフ状態とされたときに、画素電極２１ｗｂと画素電極２１ｗｗとの間にリーク電流が生じて、基準電位ＧＮＤであった画素電極２１ｗｗの電位が高くなる（即ち、高電位ＶＨに近づく）おそれがある。よって、画素２０ｗｗにおいて、画素電極２１ｗｗと対向電極２２との間に生じた電位差によって、黒色粒子８３が対向電極２２側に移動するとともに白色粒子が画素電極２１ｗｗ側に移動してしまうおそれがある。したがって、白色を表示すべき画素２０ｗｗにおいて、灰色や黒色などの白色とは異なる色が表示されてしまうおそれがある。この結果、表示部３に表示される画像における黒画像部分と白画像部分との境界部の滲みが発生してしまうおそれがある。
【００９１】
このような滲みは、例えば図９に示すように、黒色を表示している領域Ｂｐ１を囲む領域にのみに発生している間は比較的視認され難い状態であると言える。しかしながら、図１１に示すように、画像Ｐ１において発生していた滲み領域Ｇｐ１は、書き換え後の画像Ｐ２においても残り、黒色から白色へと変化した領域を囲むような輪郭残像として視認される状態となってしまう。なお、書き換え後の画像Ｐ２において白色から黒色へと変化した領域Ｂｐ２の周辺には、新たな滲み領域Ｇｐ２が発生するが、書き換え前の画像Ｐ１における滲み領域Ｇｐ１と同様に、黒色の領域の周辺のみに発生しているため視認し難い状態である。
【００９２】
輪郭残像の発生は、階調によって滲みの発生度合いが異なることに起因している。即ち、輪郭残像は、白色から黒色への書き換えの際に生じる滲みと、黒色から白色への書き換えの際に生じる滲みとの度合いが互いに異なることで、発生する滲みが互いに相殺されないことで発生する。滲みの発生度合いの違いは、例えばマイクロカプセル８０における白色粒子８２及び黒色粒子８３の移動速度の差によって生じる。なお、本実施形態では、黒色から白色への書き換えの際に生じる滲みの方が、白色から黒色への書き換えの際に生じる滲みより度合いが小さい（即ち、黒色粒子８３の方が白色粒子より移動速度が速い）場合を前提としている。
【００９３】
図５及び図６に戻り、本実施形態では上述したように、第２フレーム期間Ｔ２において、全ての画素２０がハイインピーダンス状態とされ、領域Ｒｂｗに対応する画素２０に隣り合う、領域Ｒｗｗに対応する画素２０への滲みが意図的に発生させられる。即ち、黒色から白色への書き換えの際に生じる滲みが、意図的に高い程度で発生させられる。これにより、比較的小さい黒色から白色への書き換えの際に生じる滲みの程度を、比較的大きい白色から黒色への書き換えの際に生じる滲みの程度に近づけることができる。よって、領域Ｒｂｗに対応する画素２０の周囲に既に発生していた滲みが相殺され、書き換え後に発生する輪郭残像を低減することができる。ここで、第２フレーム期間Ｔ２は「第２の所定期間」の一例であり、第２フレーム期間Ｔ２における上記工程は「第２制御工程」の一例である。
【００９４】
次に、第２フレーム期間Ｔ２の後の第３フレーム期間Ｔ３では、表示すべき階調が白色から黒色へ変化することとなる領域Ｒｗｂに対応する画素２０の画素電極２１にデータ電位として高電位ＶＨ（例えば＋１５ボルト）が供給され、表示すべき階調が黒色から白色へ変化することとなる領域Ｒｂｗ、表示すべき階調が白色のままで変化しない領域Ｒｗｗ及び黒色のままで変化しない領域Ｒｂｂの各々に対応する画素２０の画素電極２１にデータ電位として基準電位ＧＮＤ（例えば０ボルト）が供給される。
【００９５】
第３フレーム期間Ｔ３においてこのようなデータ電位供給が行われることにより、表示部３には例えば画像Ｍ３（図５参照）が表示される。即ち、第３フレーム期間Ｔ３においてこのようなデータ電供給が行われた後には、白色を表示していた画素２０のうち領域Ｒｗｂに対応する画素２０では例えば薄い灰色など白色から黒色側にやや近づいた色が表示され、黒色を表示していた画素２０のうち領域Ｒｂｗに対応する画素２０では引き続き例えば濃い灰色など黒色から白色側にやや近づいた色が表示され、白色を表示していた画素２０のうち領域Ｒｗｗに対応する画素２０では引き続き白色が表示され、黒色を表示していた画素２０のうち領域Ｒｂｂに対応する画素２０では引き続き黒色が表示される。
【００９６】
第３フレーム期間Ｔ３における駆動によれば、各画素２０におけるＤＣバランス比（即ち、画素電極２１及び対向電極２２間に白色に応じた電圧が印加される時間と、画素電極２１及び対向電極２２間に黒色に応じた電圧が印加される時間との比）が崩れてしまうのを抑制或いは防止できる。具体的には、第１フレーム期間Ｔ１において、領域Ｒｂｗに対応する画素２０には白色を表示するための電圧が印加され、領域Ｒｗｂに対応する画素２０には電圧が印加されなかったことによるＤＣバランス比の崩れを、第３フレーム期間Ｔ３において、領域Ｒｂｗに対応する画素２０には電圧を印加せず、領域Ｒｗｂに対応する画素２０に黒色を表示するための電圧を印加することで解消できる。この結果、表示の焼き付きや表示部の劣化を低減することができる。ここで、第３フレーム期間Ｔ３は「第４の所定期間」の一例であり、第３フレーム期間Ｔ３における上記動作は「第４制御工程」の一例である。
【００９７】
次に、第３フレーム期間Ｔ３の後の第４フレーム期間Ｔ４では、表示すべき階調が白色から黒色へ変化することとなる領域Ｒｗｂに対応する画素２０の画素電極２１にデータ電位として高電位ＶＨ（例えば＋１５ボルト）が供給され、表示すべき階調が黒色から白色へ変化することとなる領域Ｒｂｗに対応する画素２０の画素電極２１にデータ電位として高電位ＶＬ（例えば−１５ボルト）が供給され、表示すべき階調が白色のままで変化しない領域Ｒｗｗ及び黒色のままで変化しない領域Ｒｂｂの各々に対応する画素２０の画素電極２１にデータ電位として基準電位ＧＮＤ（例えば０ボルト）が供給される。
【００９８】
第４フレーム期間Ｔ４においてこのようなデータ電位供給が行われることにより、表示部３には例えば画像Ｍ４（図５参照）が表示される。即ち、第４フレーム期間Ｔ４においてこのようなデータ電供給が行われた後には、領域Ｒｗｂに対応する画素２０では例えば濃い灰色などより白色から黒色側に近づいた色が表示され、領域Ｒｂｗに対応する画素２０では例えば薄い灰色などより黒色から白色側に近づいた色が表示され、領域Ｒｗｗに対応する画素２０では引き続き白色が表示され、領域Ｒｂｂに対応する画素２０では引き続き黒色が表示される。ここで、第４フレーム期間Ｔ４は「第３の所定期間」の一例であり、第４フレーム期間Ｔ４における上記動作は「第３制御工程」の一例である。
【００９９】
次に、第４フレーム期間Ｔ４の後の第５フレーム期間Ｔ５では、表示すべき階調が白色から黒色へ変化することとなる領域Ｒｗｂに対応する画素２０の画素電極２１にデータ電位として高電位ＶＨ（例えば＋１５ボルト）が供給され、表示すべき階調が黒色から白色へ変化することとなる領域Ｒｂｗに対応する画素２０の画素電極２１にデータ電位として高電位ＶＬ（例えば−１５ボルト）が供給され、表示すべき階調が白色のままで変化しない領域Ｒｗｗ及び黒色のままで変化しない領域Ｒｂｂの各々に対応する画素２０の画素電極２１にデータ電位として基準電位ＧＮＤ（例えば０ボルト）が供給される。即ち、第５フレーム期間Ｔ５では、第４フレーム期間Ｔ４と同様のデータ電位供給が行なわれる。
【０１００】
第５フレーム期間Ｔ５においてこのようなデータ電位供給が行われることにより、表示部３には書き換え後の画像Ｐ２（図５参照）が表示される。即ち、第５フレーム期間Ｔ５においてこのようなデータ電供給が行われた後には、領域Ｒｗｂに対応する画素２０では黒色が表示され、領域Ｒｂｗに対応する画素２０では白色が表示され、領域Ｒｗｗに対応する画素２０では引き続き白色が表示され、領域Ｒｂｂに対応する画素２０では引き続き黒色が表示される。ここで、第５フレーム期間Ｔ５は「第３の所定期間」の一例であり、第５フレーム期間Ｔ５における上記動作は「第３制御工程」の一例である。
【０１０１】
以上のように、本実施形態では、階調が変化すべき画素２０のみに電位を供給する部分書き換えを段階的に行なうと共に、黒から白へと変化すべき領域Ｒｂｗに対応する画素２０のみに電位を供給した直後に全ての画素２０をハイインピーダンス状態とする期間を設けることで、領域Ｒｂｗ周辺に発生していた滲みを低減し、輪郭残像の発生を抑制することができる。
【０１０２】
なお、本実施形態では、領域Ｒｂｗに対応する画素２０のみへのデータ電位供給を行なう期間及び各画素２０をハイインピーダンス状態とする期間を、それぞれ第１フレーム期間Ｔ１及び第２フレーム期間Ｔ２としたが、これら２つの期間がこの順序で連続する期間である限り、他の期間において行われてもよい。例えば、領域Ｒｂｗに対応する画素２０のみへのデータ電位供給を行なう期間を第２フレーム期間Ｔ２とし、各画素２０をハイインピーダンス状態とする期間を第３フレーム期間Ｔ３としてもよい。加えて、各画素２０をハイインピーダンス状態とする期間は、１フレーム期間より長くてもよいし、短くてもよい。
【０１０３】
また、本実施形態では、黒色から白色への書き換えの際に生じる滲みの方が、白色から黒色への書き換えの際に生じる滲みより度合いが小さい場合を前提として説明したが、黒色から白色への書き換えの際に生じる滲みの方が、白色から黒色への書き換えの際に生じる滲みより度合いが大きい場合には、白色から黒色へと変化すべき領域Ｒｗｂに対応する画素２０のみに電位を供給した直後に全ての画素２０をハイインピーダンス状態とする期間を設ければよい。この場合は、領域Ｒｗｂに対応する画素２０が「第１の画素」に相当し、領域Ｒｂｗに対応する画素２０が「第２の画素」に相当することとなる。なお、本実施形態に係る制御方法は、白色及び黒色の２階調を表示する電気泳動表示装置１に限らず、滲みの発生度合いが異なる複数の階調を表示する表示装置であれば適用することができる。
【０１０４】
以上説明したように、本実施形態に係る電気泳動表示装置１によれば、表示部３に表示される画像における輪郭残像の発生を効果的に抑制することが可能である。従って、高品質な画像を表示することが可能となる。
【０１０５】
＜電子機器＞
次に、前述した電気泳動表示装置を適用した電子機器について、図１２及び図１３を参照して説明する。以下では、前述した電気泳動表示装置を電子ペーパー及び電子ノートに適用した場合を例にとる。
【０１０６】
図１２は、電子ペーパー１４００の構成を示す斜視図である。
【０１０７】
図１２に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１０８】
図１３は、電子ノート１５００の構成を示す斜視図である。
【０１０９】
図１３に示すように、電子ノート１５００は、図１２で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１１０】
前述した電子ペーパー１４００及び電子ノート１５００は、前述した実施形態に係る電気泳動表示装置を備えるので、高品質な画像表示を行うことが可能である。
【０１１１】
なお、これらの他に、腕時計、携帯電話、携帯用オーディオ機器などの電子機器の表示部に、前述した本実施形態に係る電気泳動表示装置を適用することができる。
【０１１２】
なお、上記実施形態では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。また、電気光学装置として電気泳動素子２３を有するものを例に説明したが、これに限定する趣旨ではない。電気光学装置は、上記実施形態のように輪郭残像が生じ得る表示素子を備えるものであればどのようなものであってもよく、例えば電子粉流体を用いた電気光学装置であってもよい。
【０１１３】
本発明は、上述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【０１１４】
３…表示部、１０…コントローラー、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、２２０…共通電位供給回路、ＶＬ…低電位、ＶＨ…高電位、ＧＮＤ…基準電位、Ｒｗｂ、Ｒｂｗ、Ｒｗｗ、Ｒｂｂ、Ｒｓ…領域。
【図１】
2012237958.tif 000003
【図２】
2012237958.tif 000004
【図３】
2012237958.tif 000005
【図４】
2012237958.tif 000006
【図６】
2012237958.tif 000007
【図８】
2012237958.tif 000008
【図９】
2012237958.tif 000009
【図１０】
2012237958.tif 000010
【図１１】
2012237958.tif 000011
【図１２】
2012237958.tif 000012
【図１３】
2012237958.tif 000013
【図５】
2012237958.tif 000014
【図７】
2012237958.tif 000015